(57)【特許請求の範囲】
【請求項１】
カートンにおける一つの面板の側辺に、前記面板の側辺に沿った複数の縦切れ目がつなぎを狭くして不連続に配置されている切れ部を介して、該切れ部の長手方向の一方向に引っ張り分離させる分離面板が連接し、
前記縦切れ目における分離面板引っ張り方向側の端部それぞれに、つなぎ側に傾斜している斜め切れ目が連続し、縦切れ目と斜め切れ目とが連続している前記端部それぞれに、前記斜め切れ目とは反対側の位置にして縦切れ目に直角な横切れ目が連続していることを特徴とするカートンの分離面板接続構造。
【請求項２】
上記横切れ目の長さは上記斜め切れ目の長さの二倍以上である請求項１に記載のカートンの分離面板接続構造。
【請求項３】
請求項１または２に記載のカートンの分離面板接続構造により分離面板を分離可能に有することを特徴とするカートン。
【発明の詳細な説明】
【０００１】
【発明の属する技術分野】
本発明は分離面板を有するカートンにおける前記分離面板接続構造およびカートンに関するものである。
【０００２】
【発明が解決しようとする課題】
従来から菓子類などを収容する小型包装体であるカートンには一枚のブランクスから製函されるものがあり、そのブランクスは一般的には、正面、背面、両側面などとなってカートン胴部を構成する面板が折り部を介して一方向に連接するとともに、カートン胴部の二方の開口を閉じるためのフラップが前記面板に折り部を介して連接されているものであって、カートン胴部を構成する前記面板を折り起こして一端側の面板が有する糊代を他端側の面板に貼り合わせる（これをサック貼りという）とともに、前記フラップそれぞれを折り重ねるようにして、さらには必要に応じてフラップ同士を貼り合わせるようにしてカートンを得ている。
【０００３】
このような小型のカートンが上述したように菓子類を収容する目的に使用される場合には、商品性を向上させるために表面の印刷意匠を工夫するばかりでなく、易開封性やカートンによる遊技性が得られるようにカートンの構造に工夫を加味することが数々試みられている。
その一つとして、カートン胴部を構成する面板に透孔を開口するとともに、移動可能な面板を前記透孔を有した面板の背部（即ち、カートン胴部の内側）に配し、透孔から表出する前記面板の図柄がその面板の移動で変化するようにして、カートンを用いた遊びが可能となることで商品性を向上させたいとの要望がある。
【０００４】
ところで、上記カートンの内部に別部材として移動可能な面板を挿入配置することは製函工程が煩雑になる。そのため、ブランクスの一面板として分離面板を設け、そのブランクスからカートンを製函した後にカートン胴部内に位置させた分離面板を、カートンの開封口側から引き抜くようにして分離できるようにすればよい。しかしながら、一面板として分離面板を有するブランクスからなるカートンにはつぎの不都合がある。
【０００５】
まず、製函した後に分離面板の引き抜き移動ができるようにするためには、予め分離面板を切れ部を介して連接しておく必要があり、特に、商品購入者がカートンを開封した後、その分離面板をカートン開封口側に引くことで、その切れ部から分離面板が簡単に分離できるようにする必要がある。
その条件を満足するために、ブランクスの一部分を拡大した図４に示されているように、カートン胴部を構成する面板ａと上記分離面板ｂとの間に位置する切れ部ｃは、面板ａの側辺に沿った複数の縦切れ目ｄそれぞれを長くし、かつ、つなぎｅを狭くなるようにして縦切れ目ｄを不連続に配置されたものとする。さらに、前記分離面板ｂが切れ部ｃの長手方向の一方に、即ち、開封口側に向けて引く力ｆの方向に対してつなぎｅの部分が極力直角となるようにするために、縦切れ目ｄの開封口側の端部から開封口側に向けて傾斜する斜め切れ目ｇを入れるようにしている。なお、図３に一部分を示すブランクスの基本的構造は図１に示されるブランクスと同じであり、この図４では図１のＸ部分に対応する個所を示している。
【０００６】
このように切れ部における縦切れ目を長くしてつなぎを極力狭くするとともに、斜め切れ目を縦切れ目の端部に連続させることで、カートン胴部を構成する一つの面板と上記分離面板とのつながり強度が小さくなり、力の弱い子供が取り扱うような場合でも、開封口側に分離面板を引っ張るようにすることでつなぎが簡単に切れるようになる。
また、分離面板を引っ張って切れ部におけるつなぎが切れる際には紙粉が生じているが、菓子類を収容している場合には好ましいことではなく、このつなぎの数が少なく、かつ、つなぎが小さいと紙粉が生じる度合いが小さくなり、この点からも切れ部のつなぎの数を少なくし、小さくすることが好ましい。
【０００７】
一方、カートンの製函ラインではブランクスに対してカートン胴部の面板の連接方向に沿った力（引っ張りや押し、曲げで加わる力）が加わる工程が多い。そして、つなぎの数が少ない上記切れ部に対しても連接方向Ａに力が加わるようになることから、製函ラインなどで分離面板が切れ部から分離しないようにつなぎの長さをある限度より短くすることができない。このようにカートンが適正に製函する必要上、長い縦切れ目とつなぎとを交互に並べてなる切れ部では製函ラインでの力に耐え得る強度を有するようになるため、そのブランクスから製函されたカートンにおいては、分離面板を開封口側に引くに際して大きな力を要するものとなるという不都合があった。
そこで本発明は上記事情に鑑み、縦切れ目が長くつなぎの数が少ない切れ部において、その切れ部の長さ方向に直交する方向に加わる力に対しては切れ難くし、一方、その切れ部の長さ方向に沿った引っ張り力が加わったときには簡単に切れるようにすることを課題とし、分離面板の引き抜き操作が容易なカートンを得ることを目的とする。
【０００８】
【課題を解決するための手段】
本発明は上記課題を考慮してなされたもので、カートンにおける一つの面板の側辺に、前記面板の側辺に沿った複数の縦切れ目がつなぎを狭くして不連続に配置されている切れ部を介して、該切れ部の長手方向の一方向に引っ張り分離させる分離面板が連接し、前記縦切れ目における分離面板引っ張り方向側の端部それぞれに、つなぎ側に傾斜している斜め切れ目が連続し、縦切れ目と斜め切れ目とが連続している前記端部それぞれに、前記斜め切れ目とは反対側の位置にして縦切れ目に直角な横切れ目が連続していることを特徴とするカートンの分離面板接続構造を提供して、上記課題を解消するものである。
そして、本発明において、上記横切れ目の長さは上記斜め切れ目の長さの二倍以上であることが良好である。
また、もう一つの発明は、上記カートンの分離面板接続構造により分離面板を分離可能に有することを特徴とするカートンであり、このカートンを提供して上記課題を解消するものである。
【０００９】
【発明の実施の形態】
つぎに本発明を図１から図３に示す実施の形態に基づいて詳細に説明する。
図中１はブランクスで、該ブランクス１はカートン胴部を構成する四面の面板２、３、４、５が折り部６を介して連接されているとともに、前記面板２、３、４、５を組み起こしてサック貼りする際の糊代７が面板連接方向の一方の端部側に位置する面板２の側辺に折り部６を介して連接されていて、前記四面の面板２、３、４、５を組み起こしたときに対向する面板５にカートン胴部の外方となる側から貼り合わされるものである。また、カートン胴部を組み起こしたときの対向二方の開口を閉じるためのフラップ８が前記面板２、３、４、５それぞれの連接方向に沿う側辺に折り部６を介して連接されており、ブランクス１からカートン胴部を組み起こしたときに対向する大寸のフラップ８同士は重ね合わせ接着されるものである。
図示されているように上記糊代７が連接されている側の面板２には複数の透孔９ａが開口されているとともに、一方のフラップ８側には開封用指掛け孔９ｂが開口されていて、この孔９ｂからフラップ８側へ開封用ミシン目１０が連続しており、製函されたカートンにおいて前記開封用指掛け孔９ｂに指を掛けて前記開封用ミシン目１０を切断することで、面板２とこの面板２に連接していたフラップ８との連続状態が切れて、フラップ８による閉鎖箇所が開封できるようにしたものである。
【００１０】
図中符号１１は分離面板で、製函した時に上記面板２に重ね合わされた状態でカートン胴部の内側に位置するように上記面板５の側辺に連接されている。このように分離面板１１はカートン胴部を構成する面板２、３、４、５の連接方向に揃えて面板５の側辺に連接されているものであり、その面板５との間に位置する切れ部１２を介して折り曲げ可能にして、かつ、分離可能に連接されているものである。
上記切れ部１２は、面板５の側辺に沿った複数の縦切れ目１３がその側辺方向に沿って不連続に配置されており、縦切れ目１３それぞれの長さは長く形成され、例えば切れ部１２全体の長さが約１００ｍｍとしたときに、縦切れ目１３それぞれの長さを約１９ｍｍ程度としており、通常の切り取りミシン目における切れ目に比べて十分に長いものとなっている。また、縦切れ目１３の間に形成されるつなぎ１４は縦切れ目１３の長さに比較して十分に小さいものであり、例えば約１ｍｍ程度としているものである。このように、面板５と分離面板１１とを折り曲げ可能にしてかつ分離可能にしてつなぐことになる切れ部１２にあっては縦切れ目１３の長さが長いとともにつなぎ１４の長さが短く、かつそのつなぎ１４の数も少ないものとなっている。
【００１１】
上記分離面板１１を有するブランクス１では、切れ部１２が、製函作業により加わる面板連接方向Ａに沿った力では切断されることなく、また、カートン製函後に、上記孔９への指掛け操作で開封した開口から前記分離面板１１を引っ張る際、切れ部１２の長さ方向に沿って、開封操作された開封口側引っ張り方向（矢印Ｂ）に向いた引っ張り力にて簡単に切れるように設けられているものであり、その工夫が以下に示すものである。
この切れ部１２においては、図２に示すように、縦切れ目１３における分離面板１１の開封口側引っ張り方向Ｂとなる端部１３ａそれぞれに、該縦切れ目１３に直角な横切れ目１５が連続している。前記横切れ目１５は面板５に入れられている。さらに、前記縦切れ目１３と横切れ目１５とが連続している前記端部１３ａそれぞれには、前記横切れ目１５とは反対側の位置にして分離面板１１に入れられた斜め切れ目１６が連続していて、この斜め切れ目１６は分離面板１１の開封口側引っ張り方向Ｂに、即ち、端部１３ａの隣りとなるつなぎ１４側に傾斜している。
【００１２】
このように、縦切れ目１３の分離面板開封口側引っ張り方向Ｂ側の端部１３ａそれぞれに横切れ目１５を連続させ、その端部１３ａそれぞれに、横切れ目１５とは反対側の位置にしてつなぎ１４側である方向Ｂ側に傾斜する斜め切れ目１６を連続させることで、製函ラインで面板連接方向Ａに沿った力が加わっても、横切れ目１５での切断縁が自由に変形するようになり、方向Ａの力が上記つなぎ１４の部分に集中することなく分散され、面板連接方向Ａでの力に抗することができるようになる。そして、ブランクス１から得られたカートンにおいて、図３に示すように開封口側引っ張り方向Ｂに分離面板１１を引っ張った際には、つなぎ１４は狭く、かつ、引っ張り方向Ｂに面するように設けられているので、このつなぎ１４が簡単に切断され、分離面板１１の引き抜き分離に大きな力を要することがなくなる。
上記横切れ目１５と斜め切れ目１６の長さは、ブランクス１の厚さにもよるが、切れ部１２の長さを約１００ｍｍとした場合、横切れ目１５は約５ｍｍとし、斜め切れ目１６は約１ｍｍとしており、斜め切れ目１６の長さに対して横切れ目１５の長さを長くするのがよく、その横切れ目１５の長さを斜め切れ目１６の長さの二倍以上とするのが良好であり、横切れ目１５の長さを斜め切れ目１６の長さに比べて十分に長くすればさらに良好である。
【００１３】
【発明の効果】
以上説明したように、本発明のカートンの分離面板接続構造によれば、カートンにおける一つの面板の側辺に、前記面板の側辺に沿った複数の縦切れ目がつなぎを狭くして不連続に配置されている切れ部を介して、該切れ部の長手方向の一方向に引っ張り分離させる分離面板が連接し、前記縦切れ目における分離面板引っ張り方向側の端部それぞれに、つなぎ側に傾斜している斜め切れ目が連続し、縦切れ目と斜め切れ目とが連続している前記端部それぞれに、前記斜め切れ目とは反対側の位置にして縦切れ目に直角な横切れ目が連続していることを特徴とするものである。
これによって、製函ライン上での面板連接方向の引っ張り力に対して切れ部の切れ難さが高まり、そのため、つなぎをより小さくすることが可能となって、開封口側引っ張り方向に分離面板を引っ張っる際に要する力を小さくすることができ、力の弱いこどもでも簡単に分離面板を開封口側に引っ張って分離面板の分離操作ができるカートンとなる。そして本発明のカートンにより遊技性に優れたカートンを提供できるなど、実用性に優れた効果を奏するものである。
【図面の簡単な説明】
【図１】本発明に係るカートンの分離面板接続構造の実施の例をブランクスで示す説明図である。
【図２】実施の例における切れ部を拡大して示す説明図である。
【図３】カートンを示す説明図である。
【図４】従来例における切れ部を示す説明図である。
【符号の説明】
１…ブランクス
２、３、４、５…面板
１１…分離面板
１２…切れ部
１３…縦切れ目  １３ａ…端部
１４…つなぎ
１５…横切れ目
１６…斜め切れ目
Ａ…連接方向
Ｂ…開封口側引っ張り方向
【図１】
0003931511.tif 000002
【図２】
0003931511.tif 000003
【図３】
0003931511.tif 000004
【図４】
0003931511.tif 000005